(57)【要約】【課題】遮音性能の高い建築物の鉄筋コンクリート造の躯体壁に対する内装壁の取付構造を提供する。【解決手段】集合住宅の戸境壁をなす鉄筋コンクリート造の躯体壁２と内装壁の壁下地材６との間に支持部材２２を設ける。支持部材２２は、断面視でＬ字形状を呈する剛性部材２４と、Ｌ字状の１辺をなす第２平板部３０に取り付けられた振動絶縁材３２とを備える。支持部材２２が振動絶縁材３２を躯体壁２に向けて壁下地材６の横繋ぎ材１８に固定されることによって、内装壁の躯体壁２の方向への撓みが規制されるとともに、支持部材２２及び壁下地材６を介する内装壁及び躯体壁２間の振動の伝達が防止又は低減される。【選択図】図３
2015169041.tif 000002
【特許請求の範囲】
【請求項１】
建築物の鉄筋コンクリート造の躯体壁に設けられる内装壁の取付構造であって、
複数の長尺材を組み合わせて形成され、前記躯体壁から離間する位置に配置されて天井スラブ及び床スラブに固定される壁下地材と、
前記壁下地材の高さ方向の中間位置に取り付けられ、前記躯体壁に向けて突出する支持部材と、
前記壁下地材の表面に固定される内装板と
を備え、
前記支持部材は、基端側が前記壁下地材に固定され、遊端に前記躯体壁に当接又は対向する振動絶縁材を有することを特徴とする内装壁の取付構造。
【請求項２】
前記支持部材は、前記壁下地材に固定されて前記躯体壁に向けて突出する第１平板部と、前記第１平板部に直交するように前記第１平板部の突出端から延出する第２平板部とを備える剛性部材をさらに有し、
前記振動絶縁材は、板状を呈し、前記第２平板部に固定されることを特徴とする請求項１に記載の内装壁の取付構造。
【請求項３】
前記長尺材は、軽量鉄骨材からなり、
前記支持部材は、前記軽量鉄骨材にドリルねじで固定されることを特徴とする請求項１又は請求項２に記載の内装壁の取付構造。
【請求項４】
建築物の鉄筋コンクリート造の躯体壁から離間する位置に、複数の長尺材を組み合わせて天井スラブ及び床スラブに固定された壁下地材を形成するステップと、
遊端に振動絶縁材を有する支持部材の基端側を前記壁下地材の高さ方向の中間位置に当接させるとともに、前記振動絶縁材を躯体壁に当接させて前記支持部材の位置決めを行うステップと、
前記支持部材を前記壁下地材に固定するステップと、
内装壁を前記壁下地材に固定するステップと
を備えることを特徴とする内装壁の取付方法。
【請求項５】
建築物の鉄筋コンクリート造の躯体壁から離間する位置に、複数の長尺材を組み合わせて天井スラブ及び床スラブに固定された壁下地材を形成するステップと、
遊端に振動絶縁材を有する支持部材の基端側を前記壁下地材の高さ方向の中間位置に当接させるとともに、前記振動絶縁材をスペーサーを介して躯体壁に当接させることによって、前記支持部材の位置決めを行うステップと、
前記支持部材を前記壁下地材に固定するステップと、
前記スペーサーを取り除くステップと、
内装壁を前記壁下地材に固定するステップと
を備えることを特徴とする内装壁の取付方法。
【請求項６】
前記長尺材は、軽量鉄骨材からなり、
前記支持部材は、薄板状を呈して前記壁下地材に固定される第１平板部と、前記第１平板部に直交するように前記第１平板部の一端から延出し、かつ前記振動絶縁材が固定される第２平板部とを有する剛性部材をさらに有し、
前記固定するステップでは、前記第１平板部を前記壁下地材にドリルねじで固定することを特徴とする請求項４又は請求項５に記載の内装壁の取付方法。
【請求項７】
建築物の鉄筋コンクリート造の躯体壁から離間する位置に、複数の長尺材を組み合わせて天井スラブ及び床スラブに固定された壁下地材を形成するステップであって、基端側のねじ部が前記壁下地材に螺合して遊端に振動絶縁材を有する支持部材が、前記振動絶縁材が前記躯体壁を向くように前記壁下地材の高さ方向の中間位置に配置される、該ステップと、
前記ねじ部を螺退させて前記振動絶縁材を躯体壁に接近させ、前記支持部材の位置決めを行うステップと、
内装壁を前記壁下地材に固定するステップと
を備えることを特徴とする内装壁の取付方法。
【請求項８】
長尺材を組み合わせて形成された壁下地材と前記壁下地材に固定される内装板とを有する内装壁が鉄筋コンクリート造の躯体壁に向かって撓むことを規制する支持部材であって、
薄板状を呈して前記壁下地材の高さ方向の中間位置に固定される第１平板部と、前記第１平板部に直交する第２平板部とを有し、側面視でＬ字状を呈する剛性部材と、
板状を呈し、前記第２平板部における前記第１平板部と相反する側の面に取り付けられた振動絶縁材とを備え、
該支持部材が前記振動絶縁材を前記躯体壁に向けて前記壁下地材に固定されることを特徴とする支持部材。
【発明の詳細な説明】
【技術分野】
【０００１】
本発明は、建築物の鉄筋コンクリート造の躯体壁に設けられる内装壁の取付構造及び取付方法並びに内装壁の支持部材に関する。特に、集合住宅の戸境壁に設けられる内装壁の取付構造に関する。
【背景技術】
【０００２】
集合住宅の内部壁面には、鉄筋コンクリート躯体壁の表面近傍に石膏ボード等の内装板を設けた二重構造が採用されることがある。このような構造の例として、特許文献１〜３に記載された構造が知られている。
【０００３】
特許文献１には、軽量鉄骨材からなる壁下地材の裏面側を発泡ウレタン系接着剤で、コンクリート躯体壁に取り付け、内装板を壁下地材の表面側に取り付ける構造が記載されている。
【０００４】
また、特許文献２には、コンクリート躯体壁に、複数の吸音孔を有する吸音ボードを石膏系の接着剤で取り付け、その後、室内側に露出する内装ボードを吸音ボードに重ねて形成した取付構造が記載されている。この構造によれば、吸音ボードの吸音孔が音を吸収するため、内装ボードが特定の周波数の音で共鳴して音が増大する現象が起こり難くなる。
【０００５】
また、特許文献３には、内装壁及び内装天井が、床でのみ建物躯体と連結し、他の部分では建物躯体と連結しない構造が記載されている。このような構造により、内装壁及び内装天井と建物躯体との間で振動の伝達が防止されて、建物内部の遮音性能が向上する。
【先行技術文献】
【特許文献】
【０００６】
【特許文献１】特開２００２−６１３７１号公報
【特許文献２】特開２００４−１８３２３１号公報
【特許文献３】特開２００５−２９０９３０号公報
【発明の概要】
【発明が解決しようとする課題】
【０００７】
特許文献１に記載の構造では、発泡ウレタン系接着剤に振動絶縁効果がないため、室外で発生した空気の振動である音が、コンクリート躯体壁、発泡ウレタン系接着剤、壁下地材及び内装板を順に振動させ、内装板が室内の空気を振動させて、音を室内に透過させる。特に、集合住宅における戸境壁の場合には、ある部屋で発生した音によってその部屋の内装板が振動し、その振動が、その部屋の壁下地材、その部屋の発泡ウレタン系接着剤、コンクリート躯体壁、隣室の発泡ウレタン系接着剤、隣室の壁下地材及び隣室の内装板へと順に伝わり、部屋の音が隣室に透過する。さらに、特定の周波数では発泡ウレタン系接着剤が共振し、音を増大させる。特許文献２に記載の構造でも、石膏系の接着剤に振動絶縁効果がないため、同様に音が隣室に透過する。特許文献３に記載の構造では、コンクリート躯体壁と内装壁とが連結していないため、このような音の伝搬は生じないが、施工が煩雑であり建設コストが増加する。
【０００８】
本発明は、このような従来技術の課題に鑑み、低コストで、室内に透過する騒音を減少させる内装壁の取付構造を提供することを目的とする。特に、集合住宅における戸境壁において、室内で発生した音が隣室に透過するのを防止又は減少させる内装壁の取付構造を提供することを目的とする。
【課題を解決するための手段】
【０００９】
本発明のある側面は、建築物の鉄筋コンクリート造の躯体壁（２）に設けられる内装壁（２０）の取付構造であって、複数の長尺材を組み合わせて形成され、前記躯体壁から離間する位置に配置されて天井スラブ及び床スラブに固定される壁下地材（６）と、前記壁下地材の高さ方向の中間位置に取り付けられ、前記躯体壁に向けて突出する支持部材（２２，４０）と、前記壁下地材の表面に固定される内装板（４）とを備え、前記支持部材は、基端側が前記壁下地材に固定され、遊端に前記躯体壁に当接又は対向する振動絶縁材（３２，４４）を有することを特徴とする。
【００１０】
この構成によれば、建設コストを大きく増加させることなく、内装壁が躯体壁側に撓むことを規制できるとともに、騒音が躯体壁から支持部材を介して内装壁に伝わることを防止ないし低減できる。
【００１１】
本発明の他の側面は、上記構成において、前記支持部材（２２）は、前記壁下地材に固定されて前記躯体壁に向けて突出する第１平板部（２８）と、前記第１平板部に直交するように前記第１平板部の突出端から延出する第２平板部（３０）とを備える剛性部材（２４）をさらに有し、前記振動絶縁材（３２）は、板状を呈し、前記第２平板部に固定されることを特徴とする。
【００１２】
この構成によれば、支持部材が簡易な構成からなり、かつ安価で流通量の多い材料から作ることができるため、建設コストを大きく増大させずに防音することができる。また、剛性部材が内装壁と躯体壁との間に存在するため、内装壁が躯体壁側に撓むことをより強固に規制することができる。
【００１３】
本発明の他の側面は、上記構成において、前記長尺材は、軽量鉄骨材からなり、前記支持部材は、前記軽量鉄骨材にドリルねじで固定されることを特徴とする。
【００１４】
この構成によれば、振動絶縁材及び壁下地材にあらかじめ下穴を設けておく必要がないため、施工速度を上げることができる。
【００１５】
また、本発明のある側面は、内装壁の取り付け方法であって、建築物の鉄筋コンクリート造の躯体壁から離間する位置に、複数の長尺材を組み合わせて天井スラブ及び床スラブに固定された壁下地材を形成するステップと、遊端に振動絶縁材（３２）を有する支持部材（２２）の基端側を前記壁下地材の高さ方向の中間位置に当接させるとともに、前記振動絶縁材を躯体壁に当接させて前記支持部材の位置決めを行うステップと、前記支持部材を前記壁下地材に固定するステップと、内装壁を前記壁下地材に固定するステップとを備えることを特徴とする。
【００１６】
この構成によれば、建設コストを大きく増加させることなく、内装壁が躯体壁側に撓むことを規制できるとともに、騒音が躯体壁から支持部材を介して内装壁に伝わることを防止ないし低減できる構造を容易に施工することができる。
【００１７】
また、本発明のある側面は、内装壁の取り付け方法であって、建築物の鉄筋コンクリート造の躯体壁から離間する位置に、複数の長尺材を組み合わせて天井スラブ及び床スラブに固定された壁下地材を形成するステップと、遊端に振動絶縁材（３２）を有する支持部材（２２）の基端側を前記壁下地材の高さ方向の中間位置に当接させるとともに、前記振動絶縁材をスペーサーを介して躯体壁に当接させることによって、前記支持部材の位置決めを行うステップと、前記支持部材を前記壁下地材に固定するステップと、前記スペーサーを取り除くステップと、内装壁を前記壁下地材に固定するステップとを備えることを特徴とする。
【００１８】
この構成によれば、建設コストを大きく増加させることなく、内装壁が躯体壁側に撓むことを規制できるとともに、騒音が躯体壁から支持部材を介して内装壁に伝わることをより効果的に防止ないし低減できる構造を容易に施工することができる。
【００１９】
本発明の他の側面は、上記構成において、前記長尺材は、軽量鉄骨材からなり、前記支持部材は、薄板状を呈して前記壁下地材に固定される第１平板部と、前記第１平板部に直交するように前記第１平板部の一端から延出し、かつ前記振動絶縁材が固定される第２平板部とを有する剛性部材をさらに有し、前記固定するステップでは、前記第１平板部を前記壁下地材にドリルねじで固定することを特徴とする。
【００２０】
この構成によれば、振動絶縁材及び壁下地材にあらかじめ下穴を設けておく必要がないため、施工速度を上げることができる。
【００２１】
また、本発明のある側面は、内装壁の取付方法であって、建築物の鉄筋コンクリート造の躯体壁から離間する位置に、複数の長尺材を組み合わせて天井スラブ及び床スラブに固定された壁下地材を形成するステップであって、基端側のねじ部（４２ｂ）が前記壁下地材に螺合して遊端に振動絶縁材（４４）を有する支持部材（４０）が、前記振動絶縁材が前記躯体壁を向くように前記壁下地材の高さ方向の中間位置に配置される、該ステップと、前記ねじ部を螺退させて前記振動絶縁材を躯体壁に接近させ、前記支持部材の位置決めを行うステップと、内装壁を前記壁下地材に固定するステップとを備えることを特徴とする。
【００２２】
この構成によれば、建設コストを大きく増加させることなく、内装壁が躯体壁側に撓むことを規制できるとともに、騒音が躯体壁から支持部材を介して内装壁に伝わることを防止ないし低減できる構造を容易に施工することができる。
【００２３】
また、本発明のある側面は、長尺材を組み合わせて形成された壁下地材と前記壁下地材に固定される内装板とを有する内装壁が鉄筋コンクリート造の躯体壁に向かって撓むことを規制する支持部材（２２）であって、薄板状を呈して前記壁下地材の高さ方向の中間位置に固定される第１平板部（２８）と、前記第１平板部に直交する第２平板部（３０）とを有し、側面視でＬ字状を呈する剛性部材（２４）と、板状を呈し、前記第２平板部における前記第１平板部と相反する側の面に取り付けられた振動絶縁材（３２）とを備え、該支持部材が前記振動絶縁材を前記躯体壁に向けて前記壁下地材に固定されることを特徴とする。
【００２４】
この構成によれば、この支持部材が前記振動絶縁材を前記躯体壁に向けて前記壁下地材に固定されることによって、内装壁の躯体壁の方向への撓みが規制されるとともに、支持部材を介する躯体壁及び内装壁間の振動の伝達が防止又は低減されて、躯体壁及び内装壁間の騒音の透過を防止ないし低減できる。また、支持部材が簡易な構成でかつ安価で流通量の多い材料から作ることができるため、建設コストを大きく増大させることはない。また、壁下地材に固定される第１平板部は薄板状を呈するため、ドリルねじ等を用いることにより第１平板部に下穴を設けずに第１平板部を壁下地材に固定できる。
【発明の効果】
【００２５】
本発明によれば、低コストで、内装壁が躯体壁側に撓むことを防止できるとともに、騒音が躯体壁から支持部材を介して内装壁に伝わることを防止ないし低減できる。
【図面の簡単な説明】
【００２６】
【図１】本発明の実施形態及び従来技術に共通な躯体壁及び内装壁の構成を示す概略図であり、ａ図は壁下地材が形成された状態を示し、ｂ図は内装板を壁下地材に取り付けた状態を示す。
【図２】本発明の実施形態に係る支持部材の斜視図である。
【図３】本発明の実施形態に係る支持部材の取付状態を示す斜視図である。
【図４】本発明の実施形態に係る支持部材を取り付けた状態の一部断面側面図であり、ａ図は内装壁と躯体壁とのクリアランス寸法が小さいときを示し、ｂ図は内装壁と躯体壁とのクリアランス寸法が大きいときを示す。
【図５】音が躯体壁を透過する原理を示す模式図であり、ａ図は従来技術の取付構造であり、ｂ図は本発明の実施形態に係る取付構造である。
【図６】本発明のある変形実施形態に係る支持部材の取付状態を示す斜視図である。
【図７】本発明の他の変形実施形態に係る支持部材を取り付けた状態の断面図である。
【発明を実施するための形態】
【００２７】
図１は、建築物の鉄筋コンクリート（ＲＣ）躯体壁２の表面に内装板４を取り付けた二重構造の内、本発明に係る実施形態及び従来技術に共通な構成の概略図であり、ａ図は、躯体壁２から離間した位置に壁下地材６が設置された状態であって、内装板４が取り付けられる前の状態を示し、ｂ図は、内装板４が壁下地材６に取り付けられた後の状態を示す。図１に示された構成部材は、それ自体は公知である。
【００２８】
図１（ａ）に示すように、集合住宅の戸境を形成するＲＣ躯体壁２から、わずかに離間した位置に壁下地材６が形成される。本実施形態では、躯体壁２の表面から内装板４の表面までの仕上げ寸法が約９０ｍｍである。壁下地材６は、長尺材である軽量鉄骨（ＬＧＳ）材を格子状に組み合わせて形成される。壁下地材６の下端をなす下ランナー８は、躯体壁２の横方向に沿って延在するように床スラブ１０の上面に固定される。壁下地材６の上端をなす上ランナー１２は、躯体壁２の横方向に沿って延在するように天井スラブ１４の下面に固定される。下ランナー８及び上ランナー１２は、略凹状の断面形状を呈する長尺材であって、互いの凹部開口が対向するように設置される。壁下地材６の縦方向部材をなす複数のスタッド１６の各々は、下端及び上端が、それぞれ下ランナー８及び上ランナー１２の凹部に挿入される、四角形の断面形状を呈する中空長尺材である。上下方向の中間位置で壁下地材６の横方向部材をなす横繋ぎ材１８は、躯体壁２の横方向に沿って延在し、四角形の断面形状を呈する中空長尺材である。横繋ぎ材１８は、各々のスタッド１６の躯体壁側の面に当接するようにＬＧＳ用のドリルねじ（図示せず）で各々のスタッド１６にビス止めされる。
【００２９】
図１（ｂ）に示すように、内装板４を壁下地材６の躯体壁２側と相反する側に固定することによって、居室の内装壁２０が形成される。居室の内装壁２０が躯体壁２側に撓むことを規制し、かつ、騒音が戸境壁及び内装壁２０間を透過することを防止又は低減するために、本発明に係る実施形態では、図２に示す支持部材２２が用いられる。
【００３０】
支持部材２２は、側面視でＬ字状を呈する剛性部材２４を備える。剛性部材２４は、長方形の薄鋼板を９０°屈曲させて形成され、屈曲部２６からそれぞれ延出する第１平板部２８と第２平板部３０とを備える。薄鋼板の厚さは、例えば０．６ｍｍとすることができる。第１平板部２８の延出長さは、躯体壁２と内装板４との離間距離よりも短く、躯体壁２と横繋ぎ材１８との離間距離よりも長い。支持部材２２は、第２平板部３０の前記第１平板部２８と相反する側の面に取り付けられた振動絶縁材３２をさらに備える。振動絶縁材３２は、正面視で、第２平板部３０と略同じ長方形状を呈する板状の部材であり、第２平板部３０に整合するように第２平板部３０に固定される。振動絶縁材３２は、人が知覚できる音（約２０〜２０，０００Ｈｚ）の周波数の振動を絶縁ないし低減するものであり、ゴム材や防振ゲル材、フェルト材等を素材とすることができる。例えば、振動絶縁材３２は、厚さが約２ｍｍのゴム板とすることができる。剛性部材２４の形状は、側面視でＴ字状を呈するものに代えてもよい。
【００３１】
図３は、支持部材２２の取付状態を示す斜視図である。支持部材２２は、振動絶縁材３２が躯体壁２側を向くようにして、横繋ぎ材１８に固定される。支持部材２２の取付手順を説明する。まず、支持部材２２を、第１平板部２８が水平になり、第２平板部３０が第１平板部２８から上方（又は下方）に延出するように向きを整える。その後、第１平板部２８の下面を横繋ぎ材１８の上面に当接させながら、振動絶縁材３２を躯体壁２に当接させて、支持部材２２の位置を決定する。ここで、振動絶縁材３２を躯体壁２に当接させる際に、振動絶縁材３２と躯体壁２との間にスペーサー（図示せず）を介してもよい。スペーサーの厚さは、内装壁２０がその厚さの分だけ躯体壁２側に撓んでも居住者が気にしない程度とすべきであり、約１ｍｍ以下にするのが好ましい。その後、第１平板部２８と横繋ぎ材１８とをビス止めして固定する。ビス止めは、下穴を設けずにＬＧＳ用のドリルねじ３４を用いて行うことができる。なお、あらかじめ、第１平板部２８と横繋ぎ材１８との一方に下穴を設けておいてもよい。また、あらかじめ、屈曲部２６に直交する方向に延びる長孔を第１平板部２８に設け、かつ下穴を横繋ぎ材１８に設けておき、両者を通るようにタッピングねじを螺合して第１平板部２８と横繋ぎ材１８とを固定してもよい。スペーサーを用いた場合は、第１平板部２８を横繋ぎ材１８に固定した後、スペーサーを取り除く。
【００３２】
なお、躯体壁２と内装板４とのクリアランス寸法を小さくするため横繋ぎ材１８を省略するときは、横繋ぎ材１８に代えてスタッド１６に第１平板部２８を固定してもよい（図６参照）。この場合、支持部材２２は、第１平板部２８が床スラブ１０及び躯体壁２に直交し、第２平板部３０が躯体壁２に向くように姿勢を決め、第１平板部２８のいずれか一方の主面をスタッド１６の側面に当接させながら、振動絶縁材３２を躯体壁２に当接させて、又はスペーサーを介して当接させて、支持部材２２の位置を決定する。
【００３３】
図４は、支持部材２２を壁下地材６に取り付けた状態の一部断面側面図である。図４（ａ）及び図４（ｂ）に示すように、第１平板部２８の横繋ぎ材１８に対する位置によって、建設現場ごとに異なる躯体壁２及び内装板４間のクリアランス寸法の相違や、その施工誤差を吸収することができる。図４（ａ）は、第１平板部２８の基端がスタッド１６の内装板４側の面まで達して、壁下地材６が最も躯体壁２の近くに配置された状態を示し、図４（ｂ）は、第１平板部２８の基端がスタッド１６よりも躯体壁２側に位置し、壁下地材６が最も躯体壁２から離れて配置された状態を示す。このように、壁下地材６の図４（ａ）及び図４（ｂ）に示す位置の間で、建設現場毎のクリアランス寸法の相違やその施工誤差が吸収される。
【００３４】
図５は、音が躯体壁２（戸境壁）を透過する原理を示す模式図である。躯体壁２の両側の居室にそれぞれ内装壁２０が設置されている。図５（ａ）は、従来の取付構造を示し、図５（ｂ）は本発明の実施形態に係る取付構造を示す。図５（ａ）に示す従来の取付構造では、躯体壁２と壁下地材６とが、スタッド１６と横繋ぎ材１８とが交差する位置で、発砲ウレタン系接着剤３６で固定されている。図中左側の居室で発生した音は、左側居室の内装板４を振動させ、その振動がスタッド１６及び横繋ぎ材１８、発砲ウレタン系接着剤３６、躯体壁２、右側居室の発砲ウレタン系接着剤３６、スタッド１６及び横繋ぎ材１８、内装板４へと順に伝達され、右側居室の内装板４の振動が空気を振動させて音となって右側居室に伝達される。ここで、本発明の発明者は、発砲ウレタン系接着剤３６が特定の周波数で共振して、内装壁２０及び躯体壁２の遮音性能を大幅に低下させることがあることを発見した。この共振周波数は、人の話し声の音の周波数に一致することがある。
【００３５】
図５（ｂ）に示す本発明の実施形態に係る構造では、図中左側の居室で発生した音は、左側居室の内装板４を振動させ、その振動は、スタッド１６及び横繋ぎ材１８に順に伝わるが、振動絶縁材３２によって絶縁されるか、又は絶縁されなかったとしても低減されて躯体壁２に伝達される。低減されて躯体壁２伝達された振動は、右側居室の振動絶縁材３２によって、絶縁されるか、又はさらに低減されて横繋ぎ材１８、スタッド１６、内装板４へと順に伝達される。このように、左側居室で発生した音は、躯体壁２を挟んで両側に存在する振動絶縁材３２によって、絶縁ないし低減されるため、右側居室に透過する騒音を大幅に低減させることができる。
【００３６】
図７は、上記実施形態の変形実施形態を示し、躯体壁に直交する鉛直断面の断面図である。上記実施形態と同一の構成要素は、同一の符号を付し、説明を省略する。本変形実施形態は、支持部材４０の構造において上記実施形態と異なる。支持部材は、ボルト４２と、ボルト４２の頭部４２ａに取り付けられた振動絶縁材４４とを備える。振動絶縁材４４は、ボルト４２の頭部４２ａのねじ部４２ｂが存在する側と反対側の面に取り付けられ、その材質は上記実施形態と同様である。ボルト４２は、あらかじめ横繋ぎ材１８に螺合されている。横繋ぎ材１８は、振動絶縁材４４が躯体壁２に向くようにスタッド１６に取り付けられる。その後、ボルト４２が横繋ぎ材１８から離脱する方向、すなわちねじ部４２ｂが螺退する方向にスパナ等でボルト４２を回転させて、振動絶縁材４４を躯体壁２に近接させる。具体的には、振動絶縁材４４を躯体壁２に当接させるか、スペーサーを介して当接させる。スペーサーを用いた場合は、スペーサーを取り除く。このように、ボルト４２を回転させてその軸方向の位置を調整することにより、建設現場ごとに異なる躯体壁２及び内装板４間のクリアランス寸法の相違や、その施工誤差を吸収することができる。躯体壁２と内装板４とのクリアランス寸法を小さくするため横繋ぎ材１８を省略するときは、横繋ぎ材１８に代えてスタッド１６にボルト４２のねじ部４２ｂを螺合させてもよい。
【００３７】
以上で具体的実施形態の説明を終えるが、本発明は上記実施形態に限定されることなく幅広く変形実施することができる。例えば、支持部材２２と横繋ぎ材１８とは、ビス止めに代えて、接着剤やクリップで固定してもよい。また、スタッド１６や横繋ぎ材１８の形状及び素材を変更してもよい。
【符号の説明】
【００３８】
２...躯体壁、４...内装板、６...壁下地材、８...下ランナー、１０...床スラブ、１２...上ランナー、１４...天井スラブ、１６...スタッド、１８...横繋ぎ材、２０...内装壁、２２，４０...支持部材、２４...剛性部材、２６...屈曲部、２８...第１平板部、３０...第２平板部、３２，４４...振動絶縁材、３４...ドリルねじ、３６...発砲ウレタン系接着剤、４２...ボルト、４２ａ...頭部、４２ｂ...ねじ部
【図１】
2015169041.tif 000003
【図２】
2015169041.tif 000004
【図３】
2015169041.tif 000005
【図４】
2015169041.tif 000006
【図５】
2015169041.tif 000007
【図６】
2015169041.tif 000008
【図７】
2015169041.tif 000009